(57)【特許請求の範囲】
【請求項１】
建物の床下空間内に表面側から熱放射が可能な熱放射パネルが設置されて床下温調を可能とした温調システムであって、
前記建物の床上空間は、上下階を連通した吹抜空間と、上階の床部で仕切られて下階の居室空間と上階の居室空間とが形成された居室空間と、を有し、
前記吹抜空間には、その上階部分となる床部により、端部に手摺が設けられたホールが形成され、
前記ホールにも、表面側から熱放射が可能な熱放射パネルが、放射した温熱で前記手摺を暖め可能に表面側が前記手摺に向けられて設置され、
前記床下空間内の熱放射パネルと、前記ホールの熱放射パネルとは、水を熱媒体としたヒートポンプ式のものであり、共通のヒートポンプ装置に、熱媒体循環管を介して接続され、
前記ホールの熱放射パネルは、前記床下空間内の熱放射パネルに連動して運転制御されていることを特徴とする温調システム。
【請求項２】
前記床下空間を形成する基礎の周面には、断熱材が貼設され断熱基礎構造とされていることを特徴とする請求項１に記載の温調システム。
【請求項３】
請求項１または請求項２に記載の温調システムを備えていることを特徴とする建物。
【発明の詳細な説明】
【技術分野】
【０００１】
本発明は、建物の床下空間内に放熱器を設置して床下温調を可能とした温調システム、及びこの温調システムを備えた建物に関するものである。
【背景技術】
【０００２】
従来から、建物の床下空間内に放熱器を設置して床下空間側から床上空間を温調する床下温調を可能とした温調システムについては、多数提案され、実施に供されている（例えば特許文献１，２等を参照）。
【先行技術文献】
【特許文献】
【０００３】
【特許文献１】特許第４０８４８３０号公報
【特許文献２】特許第４１２８９４８号公報
【発明の概要】
【発明が解決しようとする課題】
【０００４】
しかしながら、上記した特許文献１，２のような従来の温調システムでは、建物の床上空間内に上下階にわたって連通した階段室などを含む吹抜空間が有る場合、特に床下暖房を行っている際は、この吹抜空間の上階部分から降下してくる冷気が下階部分を冷やしてしまう所謂コールドドラフト現象が起こってしまい、吹抜空間の下階部分を効率的に暖めることができなかった。
【０００５】
そこで、本発明は、床下暖房時において、上下階にわたって連通した吹抜空間で起こる所謂コールドドラフト現象を防止し、吹抜空間の下階部分を効率的に暖めることができる温調システム、及びこの温調システムを備えた建物を提供することを目的としている。
【課題を解決するための手段】
【０００６】
前記目的を達成するために、本発明の温調システムは、建物の床下空間内に放熱器が設置されて床下温調を可能とした温調システムであって、前記建物の床上空間は、上下階を連通した吹抜空間を有し、前記吹抜空間と連通する上階部分にも、放熱器が設置されていることを特徴とする。
【０００７】
ここで、前記床下空間内の放熱器と、前記吹抜空間と連通する上階部分の放熱器とは、表面側から熱放射が可能な熱放射パネルであるとよい。
【０００８】
また、前記床下空間内の放熱器と、前記吹抜空間と連通する上階部分の放熱器とは、水を熱媒体としたヒートポンプ式のものであり、共通のヒートポンプ装置に、熱媒体循環管を介して接続されているとよい。
【０００９】
さらに、前記吹抜空間と連通する上階部分の放熱器は、前記床下空間内の放熱器に連動して運転制御されるとよい。
【００１０】
また、前記床下空間を形成する基礎の周面には、断熱材が貼設され断熱基礎構造とされているとよい。
【００１１】
本発明の建物は、上記した本発明の温調システムを備えていることを特徴とする。
【発明の効果】
【００１２】
このような本発明の温調システムは、建物の床下空間内に放熱器が設置されて床下温調を可能とした温調システムであって、建物の床上空間は、上下階を連通した吹抜空間を有し、吹抜空間と連通する上階部分にも、放熱器が設置された構成とされている。
【００１３】
上記した構成なので、床下暖房時において、吹抜空間と連通する上階部分の放熱器が吹抜空間の上階部分を暖めるため、上下階にわたって連通した吹抜空間で起こる所謂コールドドラフト現象を防止し、吹抜空間の下階部分を効率的に暖めることができる。
【００１４】
ここで、床下空間内の放熱器と、吹抜空間と連通する上階部分の放熱器とは、表面側から熱放射が可能な熱放射パネルである場合は、床下空間内の放熱器は、高さが低い床下空間にも容易に設置することができるし、吹抜空間と連通する上階部分の放熱器は、厚さが薄い分、無駄な占有スペースをとらないで済む。
【００１５】
また、床下空間内の放熱器と、吹抜空間と連通する上階部分の放熱器とは、水を熱媒体としたヒートポンプ式のものであり、共通のヒートポンプ装置に、熱媒体循環管を介して接続されている場合は、エネルギー効率が良い充分に満足な床下温調を行うことができるうえに、吹抜空間と連通する上階部分の放熱器のためのヒートポンプ装置を別途設けずに済み、経済的である。
【００１６】
さらに、吹抜空間と連通する上階部分の放熱器は、床下空間内の放熱器に連動して運転制御される場合は、床下暖房の開始時から吹抜空間で起こる所謂コールドドラフト現象を防止し、吹抜空間の下階部分を効率的に暖めることができる。
【００１７】
また、床下空間を形成する基礎の周面には、断熱材が貼設され断熱基礎構造とされている場合は、床下空間内は屋外空間の温度影響を受け難いので、エネルギー損失が少ない床下温調を行うことができる。
【００１８】
このような本発明の建物は、上記した本発明の温調システムを備えた構成とされている。
【００１９】
上記した構成なので、上記した本発明の温調システムの効果を奏する建物とすることができる。
【図面の簡単な説明】
【００２０】
【図１】実施例の温調システムを備えた建物の概略構成を示す説明図である。
【図２】実施例の温調システムにおいて、運転を行っている状態を示す説明図である。
【発明を実施するための形態】
【００２１】
以下、本発明を実施するための形態を、図面に示す実施例に基づいて説明する。
【実施例】
【００２２】
先ず、実施例の構成について説明する。
図１は、実施例の温調システムを備えた建物１の概略構成を示している。
この建物１は、地盤に打設された基礎１Ｂの上に、建物本体１Ａが構築されて成る。
【００２３】
ここで、この建物１内は、１階の床部１１で仕切られて、床下空間２と床上空間３とが形成されている。
【００２４】
また、床上空間３の中間部は、仕切壁１３で仕切られて、左側に、吹抜空間３１が形成され、右側に、居室空間３２が形成されている。
【００２５】
さらに、居室空間３２は、２階の床部１２で仕切られて、１階の居室空間３２Ａと、２階の居室空間３２Ｂとが形成されている。
【００２６】
また、吹抜空間３１の２階部分には、２階の床部１２をこの吹抜空間３１の中間部分まで延設した床部１２’が設けられ、端部に手摺１４が設けられたホール３１Ａが形成されている。
【００２７】
なお、床下空間２を形成する基礎１Ｂにおける立ち上がり側壁部の内周面には、断熱材４が貼設され、断熱基礎構造とされている。
【００２８】
そして、床下空間２内には、間隔をあけて、複数の放熱器としての熱放射パネル５Ａ，・・・が、その表面側が１階の床部１１を向くように設置されている。
【００２９】
また、吹抜空間３１と連通する２階部分のホール３１Ａの仕切壁１３の表面にも、放熱器としての熱放射パネル５Ｂが、その表面側が手摺１４を向くように設置されている。
【００３０】
さらに、床下空間２内の熱放射パネル５Ａ，・・・と、吹抜空間３１と連通する２階部分のホール３１Ａ内の熱放射パネル５Ｂとは、水を熱媒体としたヒートポンプ式のものであり、熱媒体循環管６１，６２を介して、建物１の屋外に設置した共通のヒートポンプ装置７に接続されている。
【００３１】
また、吹抜空間３１と連通する２階部分のホール３１Ａ内の熱放射パネル５Ｂは、図示省略の制御部により、床下空間２内の熱放射パネル５Ａ，・・・に連動して運転制御されるようになっている。
【００３２】
なお、１階の床部１１の窓際近傍には、床下空間２と床上空間３とを連通するガラリ付きの給熱口８，８が設けられている。
【００３３】
これにより、この実施例の温調システムでは、運転を開始すると、暖房のときは、温水を熱媒体として、熱放射パネル５Ａ，・・・から温熱を放熱し、主にこの温熱による床下暖房により、床上空間３が暖められる。
【００３４】
このとき、吹抜空間３１と連通する２階部分のホール３１Ａでは、熱放射パネル５Ｂから温熱が放射され、手摺１４等が暖まるので、上下階にわたって連通した吹抜空間３１で起こり得る所謂コールドドラフト現象は起きないで済む。
【００３５】
また、床下空間２内の暖かい温熱が直接、ガラリ付きの給熱口８，８から床上空間３の窓際近傍へ伝わるので、窓際近傍での所謂コールドドラフト現象も起きないで済む。
【００３６】
なお、この実施例の温調システムでは、冷房のときは、冷水を熱媒体として、熱放射パネル５Ａ，・・・から冷熱を放熱し、主にこの冷熱による床下冷房により、床上空間３が冷やされる。
【００３７】
次に、実施例の作用効果について説明する。
このような実施例の温調システムは、建物１の床下空間２内に放熱器としての熱放射パネル５Ａ，・・・が設置されて床下温調を可能とした温調システムであって、建物１の床上空間３は、１階と２階を連通した吹抜空間３１を有し、吹抜空間３１と連通する２階部分のホール３１Ａにも、放熱器としての熱放射パネル５Ｂが設置された構成とされている。
【００３８】
上記した構成なので、床下暖房時において、吹抜空間３１と連通する２階部分のホール３１Ａの放熱器としての熱放射パネル５Ｂが吹抜空間３１の２階部分を暖めるため、１，２階にわたって連通した吹抜空間３１で起こる所謂コールドドラフト現象を防止し、吹抜空間３１の１階部分を効率的に暖めることができる。
【００３９】
ここで、床下空間２内の放熱器としての熱放射パネル５Ａ，・・・と、吹抜空間３１と連通する２階部分のホール３１Ａの放熱器としての熱放射パネル５Ｂとは、表面側から熱放射が可能な熱放射パネルである。
【００４０】
このため、床下空間２内の放熱器としての熱放射パネル５Ａ，・・・は、高さが低い床下空間２にも容易に設置することができるし、吹抜空間３１と連通する２階部分のホール３１Ａの放熱器としての熱放射パネル５Ｂは、厚さが薄い分、無駄な占有スペースをとらないで済む。
【００４１】
また、床下空間２内の放熱器としての熱放射パネル５Ａ，・・・と、吹抜空間３１と連通する２階部分のホール３１Ａの放熱器としての熱放射パネル５Ｂとは、水を熱媒体としたヒートポンプ式のものであり、共通のヒートポンプ装置７に、熱媒体循環管６１，６２を介して接続されている。
【００４２】
このため、エネルギー効率が良い充分に満足な床下温調を行うことができるうえに、吹抜空間３１と連通する２階部分のホール３１Ａの放熱器としての熱放射パネル５Ｂのためのヒートポンプ装置を別途設けずに済み、経済的である。
【００４３】
さらに、吹抜空間３１と連通する２階部分のホール３１Ａの放熱器としての熱放射パネル５Ｂは、床下空間２内の放熱器としての熱放射パネル５Ａ，・・・に連動して運転制御される。
【００４４】
このため、床下暖房の開始時から吹抜空間３１で起こる所謂コールドドラフト現象を防止し、吹抜空間３１の１階部分を効率的に暖めることができる。
【００４５】
また、床下空間２を形成する基礎１Ｂの内周面には、断熱材４が貼設され断熱基礎構造とされている。
【００４６】
このため、床下空間２内は屋外空間の温度影響を受け難いので、エネルギー損失が少ない床下温調を行うことができる。
【００４７】
このような実施例の建物１は、上記した実施例の温調システムを備えた構成とされている。
【００４８】
上記した構成なので、上記した実施例の温調システムの作用効果を奏する建物とすることができる。
【００４９】
以上、図面を参照して、本発明を実施するための形態を実施例に基づいて詳述してきたが、具体的な構成は、この実施例に限らず、本発明の要旨を逸脱しない程度の設計的変更は、本発明に含まれる。
【００５０】
例えば、吹抜空間３１を、階段室として実施してもよい。この場合、熱放射パネル５Ｂは、階段近傍の上階ホールなどに設けるとよい。
【符号の説明】
【００５１】
１      建物
１Ａ    建物本体
１Ｂ    基礎
１１    （１階の）床部
１２    （２階の）床部
１２’  （２階の）床部
１３    仕切壁
１４    手摺
２      床下空間
３      床上空間
３１    吹抜空間
３１Ａ  ホール（吹抜空間と連通する上階部分）
３２    居室空間
３２Ａ  （１階の）居室空間
３２Ｂ  （２階の）居室空間
４      断熱材
５Ａ    熱放射パネル（床下空間内の放熱器）
５Ｂ    熱放射パネル（吹抜空間の上階部分の放熱器）
６１    熱媒体循環管
６２    熱媒体循環管
７      ヒートポンプ装置
８      給熱口
【図１】
0006693716.tif 000002
【図２】
0006693716.tif 000003